(57)【要約】【課題】筐体と枠体に擦れが発生した際の分解及び組み直し作業をなくして、組立工数を大幅に改善する。【解決手段】筐体１・２と、その筐体１・２を部分的に覆い、且つ筐体１・２に回転可能に結合される枠体３と、を備える筐体構造であって、筐体１・２には、枠体３により覆われる面に第１の開口部２１が設けられ、第１の部品６がその第１の開口部２１に取り付けられる。具体的には、筐体１・２の枠体３との結合部側の位置に第１の開口部２１が設けられている。第１の部品６は、第１の開口部２１に固着部材７により取り付けられている。第１の部品６が第１の開口部２１に固着部材７により取り付けられた状態では、第１の部品６が、筐体１・２の枠体３により覆われる面より突出して、筐体１・２が枠体３により覆われる際に、第１の部品６が枠体３と接触する。【選択図】図６
2017092579.tif 000002
【特許請求の範囲】
【請求項１】
筐体と、
前記筐体を部分的に覆い、且つ前記筐体に回転可能に結合される枠体と、を備える筐体構造であって、
前記筐体には、前記枠体により覆われる面に第１の部品を取り付ける第１の開口部が設けられていることを特徴とする筐体構造。
【請求項２】
前記筐体の前記枠体との結合部側の位置に前記第１の開口部が設けられていることを特徴とする請求項１に記載の筐体構造。
【請求項３】
前記第１の部品は、前記筐体の前記第１の開口部に固着部材により取り付けられていることを特徴とする請求項１または２に記載の筐体構造。
【請求項４】
前記第１の部品が前記筐体の前記第１の開口部に前記固着部材により取り付けられた状態では、前記第１の部品が、前記筐体の前記枠体により覆われる面より突出していることを特徴とする請求項３に記載の筐体構造。
【請求項５】
前記第１の部品が前記筐体の前記第１の開口部に前記固着部材により取り付けられた状態において、前記筐体が前記枠体により覆われる際に、前記第１の部品が前記枠体と接触することを特徴とする請求項４に記載の筐体構造。
【請求項６】
前記第１の部品の前記枠体との接触部分が曲面に形成されていることを特徴とする請求項５に記載の筐体構造。
【請求項７】
前記第１の部品と前記枠体が接触している状態において、前記枠体は、前記筐体との結合部を除き、前記筐体と接触しないことを特徴とする請求項５または６に記載の筐体構造。
【請求項８】
前記筐体には、前記枠体により覆われる面と略直交する面に開口する第２の部品を取り付ける第２の開口部が設けられていることを特徴とする請求項１から７のいずれか一項に記載の筐体構造。
【請求項９】
前記第１の部品は、前記第２の開口部側に切り欠きを有し、
前記第２の部品は、前記第１の部品の前記切り欠きに収まった状態で、前記筐体に嵌め合わされる爪を備えることを特徴とする請求項８に記載の筐体構造。
【請求項１０】
前記第２の部品が、前記第１の部品の前記切り欠きに収まった状態で、前記筐体に嵌め合わされると、前記第１の部品は、前記筐体から取り外しできないことを特徴とする請求項９に記載の筐体構造。
【請求項１１】
前記筐体に対し着脱可能で、前記筐体に装着された状態において、前記第２の開口部に取り付けられた前記第２の部品を含んで前記筐体を覆う蓋部品を備えることを特徴とする請求項８から１０のいずれか一項に記載の筐体構造。
【請求項１２】
前記固着部材は、所定の厚さの両面テープであることを特徴とする請求項３から１１のいずれか一項に記載の筐体構造。
【請求項１３】
前記筐体は、第１のブロックと第２のブロックを備え、
前記第２のブロックは、前記第１のブロックに回転可能に結合され、
前記枠体は、前記第１のブロック及び前記第２のブロックを部分的に覆い、且つ前記第１のブロックに回転可能に結合される筐体構造であって、
前記第１の開口部は、前記第２のブロックの前記枠体により覆われる面に設けられていることを特徴とする請求項１から１２のいずれか一項に記載の筐体構造。
【請求項１４】
前記第２のブロックの前記第１のブロック側の位置に前記第１の開口部が設けられていることを特徴とする請求項１３に記載の筐体構造。
【請求項１５】
前記第１のブロックは撮像部を備え、
前記第２のブロックは表示部を備えることを特徴とする請求項１３または１４に記載の筐体構造。
【請求項１６】
請求項１から１４のいずれか一項に記載の筐体構造を備えることを特徴とする電子機器。
【請求項１７】
請求項１５に記載の筐体構造を備えることを特徴とする撮像装置。
【発明の詳細な説明】
【技術分野】
【０００１】
本発明は、筐体を部分的に覆う回転可能な枠体を備える筐体構造と、その筐体構造を備える電子機器と、撮像装置に関する。
【背景技術】
【０００２】
レンズ筐体に対し表示部筐体が第１ヒンジ軸で取り付けられ、更にレンズ筐体には表示部筐体を囲むグリップフレームが第１ヒンジ軸と直交する第２ヒンジ軸で取り付けられているカメラがある（例えば特許文献１参照）。
【先行技術文献】
【特許文献】
【０００３】
【特許文献１】特開２００５−８６４７６号公報
【発明の概要】
【発明が解決しようとする課題】
【０００４】
このようなグリップフレームを備えるカメラにおいて、回転時に表示部筐体外観とグリップフレームが擦れないようにするためにクリアランスを設ける必要があるが、デザイン的にはこのクリアランスをできる限り小さくしたい。
【０００５】
ここで、第１及び第２の両ヒンジ軸の傾き公差や組み立てバラツキを考慮すると、大きなクリアランスが必要となるが、例えば、表示部筐体の側面に、グリップフレームと接触するスペーサーを追加することでクリアランスを小さくすることができる。
【０００６】
しかしながら、前記スペーサーが単一の厚みの場合、ヒンジ軸の傾き公差や組み立てバラツキにより、規定のクリアランスでは、表示部筐体とグリップフレームが擦れる固体が発生する場合があり、全ての組み立てが完了した後の検査工程により、擦りが発生する個体については、分解作業と再組立作業を行なう必要があり、組立工数が増加するという課題があった。
【０００７】
本発明の課題は、筐体と枠体に擦れが発生した際の分解及び組み直し作業をなくして、組立工数を大幅に改善することである。
【課題を解決するための手段】
【０００８】
以上の課題を解決するため、本発明は、
筐体と、
前記筐体を部分的に覆い、且つ前記筐体に回転可能に結合される枠体と、を備える筐体構造であって、
前記筐体には、前記枠体により覆われる面に第１の部品を取り付ける第１の開口部が設けられていることを特徴とする。
【発明の効果】
【０００９】
本発明によれば、筐体と枠体に擦れが発生した際の分解及び組み直し作業をなくして、組立工数を大幅に改善することができる。
【図面の簡単な説明】
【００１０】
【図１】本発明を適用した電子機器の一実施形態の構成を示す斜視図で、カメラの筐体及び枠体を揃えた状態の図（ａ）と、その筐体と枠体を回転させて９０度開いた状態の図（ｂ）と、その筐体の２ブロックを９０度回転させた状態の図（ｃ）と、その２ブロックを更に９０度回転させた状態の図（ｄ）である。
【図２】図１（ａ）のカメラの正面図である。
【図３】図１（ｂ）の開いた状態から筐体と枠体を回転させて揃える状態の過程を示す斜視図で、筐体のスペーサーに枠体が当たる直前の状態の図（ａ）と、そのスペーサーに枠体が当たり始める状態の図（ｂ）と、筐体と枠体が揃う直前の状態の図（ｃ）である。
【図４】筐体へのスペーサー取り付けを示す要部拡大図で、スペーサーの取付直前の分解図（ａ）と、スペーサー取付状態の図（ｂ）である。
【図５】図４（ａ）のスペーサーを取り付ける部分を上方から見た図である。
【図６】図４（ｂ）の矢印VI−VI線に沿った拡大断面図である。
【図７】筐体へのカバー部品取り付けを示す要部拡大図で、カバー部品の取付直前の分解図（ａ）と、カバー部品取付状態の図（ｂ）である。
【図８】図７（ｂ）の矢印VIII−VIII線に沿った拡大断面図である。
【図９】表示部筐体の電池蓋装着面側を示す斜視図で、電池蓋の非装着状態を示した図（ａ）と、電池蓋の装着状態を示した図（ｂ）である。
【発明を実施するための形態】
【００１１】
以下、図を参照して本発明を実施するための形態を詳細に説明する。
（実施形態）
図１から図３は本発明を適用した電子機器の一実施形態の構成としてカメラを示すもので、１はレンズブロック（筐体）、２は表示ブロック（筐体）、３はグリップフレーム、４は撮影レンズ、５は表示部、６はスペーサー（第１の部品）、９は電池蓋（蓋部品）、１１は第１ヒンジ軸、１２は第２ヒンジ軸である。
【００１２】
図示のように、カメラは、筐体をなすレンズブロック１及び表示ブロック２を囲む形状の枠体であるグリップフレーム３を備える。
すなわち、撮影レンズ４を中央に有するレンズブロック１に対して、モニタ部をなす表示部５を一面に有する表示ブロック２が、第１ヒンジ軸１１で結合されて、その第１ヒンジ軸１１を中心に回転可能となっている。
【００１３】
また、レンズブロック１に対して、グリップフレーム３が、第１ヒンジ軸１１と直交する第２ヒンジ軸１２で結合されて、その第２ヒンジ軸１２を中心に回転可能となっている。
なお、表示ブロック２の表示部５の背面側には、電池蓋９が着脱可能となっている。
【００１４】
以上の筐体構造により、図１（ａ）及び図２に示すように、レンズブロック１及び表示ブロック２の周囲にグリップフレーム３を位置させて揃えた状態から、図１（ｂ）に示すように、レンズブロック１に対し第２ヒンジ軸１２を中心にグリップフレーム３を回転させたり、図１（ｃ）及び（ｄ）に示すように、レンズブロック１に対し第１ヒンジ軸１１を中心に表示ブロック２を回転させたりした状態が得られる。
【００１５】
このような筐体構造においては、第１ヒンジ軸１１及び第２ヒンジ軸１２の傾き公差や組み立てバラツキから、表示ブロック２とグリップフレーム３が擦らないように、図２に示すように、表示ブロック２とグリップフレーム３の間に沿ってクリアランスを設けている。このクリアランスは、デザイン的にできるだけ小さくしたい。
従って、表示ブロック２の両側面でレンズブロック１に近い端部に、第１の部品としてスペーサー６をそれぞれ設ける。このスペーサー６は、表示ブロック２側面から僅かに突出している。
【００１６】
このように、表示ブロック２の両側面でレンズブロック１に近い端部にスペーサー６をそれぞれ設けることにより、レンズブロック１及び表示ブロック２に対しグリップフレーム３を開いた状態から第２ヒンジ軸１２を中心に回転させて閉じ始めると、図３（ａ）から（ｂ）に示すように、グリップフレーム３の内側面にスペーサー６部分から先に当たり始める。
このグリップフレーム３の内側面がスペーサー６に当たり始めたときに、グリップフレーム３の先端部は表示ブロック２に対しまだ開いている状態である。
【００１７】
そして、図３（ｃ）に示すように、グリップフレーム３の先端部が表示ブロック２に対し閉じ始めるときには、スペーサー６によりグリップフレーム３と表示ブロック２のクリアランスがキープされているため、グリップフレーム３の内周面が表示ブロック２の外周面に擦らずに済む。
【００１８】
図４から図６は表示ブロック２へのスペーサー６の取り付けを示すもので、電池蓋９が取り外された状態であり、７は両面テープ（固着部材）、２１は第１の開口部、２２は第２の開口部、３１はフレームブラケットである。
【００１９】
図示のように、表示ブロック２の両側面でレンズブロック１に近い端部に第１の開口部２１が形成されて、この第１の開口部２１の奥方には、表示ブロック２の表示部５背面側で電池蓋９装着面側に連続する第２の開口部２２が形成されている。
【００２０】
また、スペーサー６は、外面が曲面により形成されて、第１の開口部２１に挿入される部分には、第２の開口部２２側に位置する切り欠き６１が形成されている。
このスペーサー６を表示ブロック２側面に組み付ける際に、図４（ａ）に示すように、スペーサー６の先端に固着部材である両面テープ７を貼り付けてから第１の開口部２１に挿入して、図５及び図６に示すように、第１の開口部２１の奥面に両面テープ７でスペーサー６を貼り付ける。
【００２１】
なお、第２の開口部２２からピンセット等でスペーサー６を押して、第１の開口部２１からスペーサー６を簡単に取り外すことができる。
このように、電池蓋９を取り外した状態において、表示ブロック２内部にてスペーサー６の取り外し作業を行えるため、スペーサー６の取り外し時に製品外観に傷を付けずに済む。
よって、スペーサー６は再利用可能で、両面テープ７を貼り変えて厚さを変えることにより、スペーサー６の表示ブロック２側面から僅かに突出する曲面部の突出量を変更することができる。
【００２２】
すなわち、グリップフレーム３を組み付け後、表示ブロック２とグリップフレーム３に擦れが発生した場合には、スペーサー６を外し、厚さの違う両面テープ７に入れ替えることで、スペーサー６の表示ブロック２側面から僅かに突出する曲面部の突出量調整が可能となる。
【００２３】
図７及び図８は表示ブロック２への第２の部品であるカバー部品８の取り付けを示すもので、図示のように、カバー部品８には、下方に延びて外側に突出する一対の爪８１・８２が形成されている。図示例では、一対の爪８１が他方の爪８２よりも下方に長く形成されている。
【００２４】
このカバー部品８は、図７（ａ）に示すように、表示ブロック２の第２の開口部２２に挿入して、図７（ｂ）に示すように、表示ブロック２の表示部５背面側に略面一な取付状態となる。
【００２５】
図８は表示ブロック２の第２の開口部２２へのカバー部品８の取付状態を示すもので、図示のように、カバー部品８は、その一対の爪８１・８２が第２の開口部２２の両側部下面にそれぞれ嵌め合わされて、市場にてユーザーが外せない構造となる。
すなわち、カバー部品８を外すには、電池蓋９を外してから、表示ブロック２を分解しなければならない。
【００２６】
ここで、表示ブロック２の第２の開口部２２の両側部からは、矢印で示すように、一対の爪８１・８２が外れる方向に荷重をかけることはできない。
また、もし、両面テープ７が剥がれることがあったとしても、カバー部品８の爪８１の先端部がスペーサー６の切り欠き６１内に位置しているため、この爪８１の先端部がストッパーとなって、スペーサー６が第１の開口部２１から取れてしまうことはない。
【００２７】
以上のように、スペーサー６の表示ブロック２側面から僅かに突出する曲面部の突出量の調整後は、第２の開口部２２にカバー部品８を取り付けることで、このカバー部品８は組み付けると外側からは外せない。
また、このカバー部品８の爪８１の先端部がスペーサー６の切り欠き６１内に位置してストッパーとなり、もし、スペーサー６を貼り付けている両面テープ７が剥がれてしまったとしても、スペーサー６が第１の開口部２１から取れてしまうことはない。
【００２８】
図９は表示ブロック２の電池蓋９の装着面側を示すもので、電池蓋９の非装着状態では、図９（ａ）に示すように、カバー部品８が露出しているが、電池蓋９の装着状態では、図９（ｂ）に示すように、カバー部品８は電池蓋９により隠されて外観に現れない。
よって、デザインに影響を与えない。
【００２９】
以上のとおり、レンズブロック１及び表示ブロック２が潜り抜けたり回転するグリップフレーム３を備えるカメラにおいて、表示ブロック２とグリップフレーム３のクリアランスを矯正するスペーサー６の表示ブロック２側面から僅かに突出する曲面部の突出量を、厚さの違う両面テープ７に変更することで調整することができる。
このように、外観部品であるスペーサー６は変更せず、それに隣接して外観に出ない部品である両面テープ７の変更によりスペーサー６の突出量を調整することができる。
【００３０】
従って、カバー部品８の取付前において、グリップフレーム３と表示ブロック２に擦れが発生した際における表示ブロック２本体の分解及び組み直し作業が不要で、組立工数を大幅に改善することができる。
すなわち、表示ブロック２本体を分解しなくても、スペーサー６の突出量を両面テープ７の変更により簡単に調整することができる。
そして、調整後は、電池蓋９を外しても、ユーザーがカバー部品８とスペーサー６を簡単には分解できない。
【００３１】
以上、実施形態のカメラによれば、表示ブロック２のグリップフレーム３により覆われる面でレンズブロック１側の位置に設けた第１の開口部２１に、グリップフレーム３に接触するスペーサー６を両面テープ７により取り付ける構造により、スペーサー６の突出量を両面テープ７の変更により簡単に調整することができるため、表示ブロック２とグリップフレーム３に擦れが発生した際の表示ブロック２本体の分解及び組み直し作業をなくして、組立工数を大幅に改善することができる。
【００３２】
そして、表示ブロック２のグリップフレーム３により覆われる面と直交する面に設けた第２の開口部２２にカバー部品８を取り付けて、そのカバー部品８の爪８１・８２がスペーサー６の切り欠き６１に収まった状態で表示ブロック２に嵌め合わされる構造により、カバー部品８を組み付けると外側から外すことができず、また、カバー部品８の爪８１の先端部がスペーサー６の切り欠き６１内に位置してストッパーとなり、両面テープ７が剥がれてしまってもスペーサー６が第１の開口部２１から取れてしまうのを防止することができる。
【００３３】
（変形例）
以上の実施形態においては、カメラとしたが、本発明はこれに限定されるものではなく、カメラを備える携帯電話など他の電子機器であってもよい。
また、実施形態では、２軸ヒンジで回動する筐体の構成としたが、１軸ヒンジで回動する筐体の構成でよく、あるいはヒンジの無い筐体でもよい。
さらに、第１の開口部及び第２の開口部の形状、第１の部品及び第２の部品の形状等も任意であり、その他、具体的な細部構造等についても適宜に変更可能であることは勿論である。
【００３４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
筐体と、
前記筐体を部分的に覆い、且つ前記筐体に回転可能に結合される枠体と、を備える筐体構造であって、
前記筐体には、前記枠体により覆われる面に第１の部品を取り付ける第１の開口部が設けられていることを特徴とする筐体構造。
＜請求項２＞
前記筐体の前記枠体との結合部側の位置に前記第１の開口部が設けられていることを特徴とする請求項１に記載の筐体構造。
＜請求項３＞
前記第１の部品は、前記筐体の前記第１の開口部に固着部材により取り付けられていることを特徴とする請求項１または２に記載の筐体構造。
＜請求項４＞
前記第１の部品が前記筐体の前記第１の開口部に前記固着部材により取り付けられた状態では、前記第１の部品が、前記筐体の前記枠体により覆われる面より突出していることを特徴とする請求項３に記載の筐体構造。
＜請求項５＞
前記第１の部品が前記筐体の前記第１の開口部に前記固着部材により取り付けられた状態において、前記筐体が前記枠体により覆われる際に、前記第１の部品が前記枠体と接触することを特徴とする請求項４に記載の筐体構造。
＜請求項６＞
前記第１の部品の前記枠体との接触部分が曲面に形成されていることを特徴とする請求項５に記載の筐体構造。
＜請求項７＞
前記第１の部品と前記枠体が接触している状態において、前記枠体は、前記筐体との結合部を除き、前記筐体と接触しないことを特徴とする請求項５または６に記載の筐体構造。
＜請求項８＞
前記筐体には、前記枠体により覆われる面と略直交する面に開口する第２の部品を取り付ける第２の開口部が設けられていることを特徴とする請求項１から７のいずれか一項に記載の筐体構造。
＜請求項９＞
前記第１の部品は、前記第２の開口部側に切り欠きを有し、
前記第２の部品は、前記第１の部品の前記切り欠きに収まった状態で、前記筐体に嵌め合わされる爪を備えることを特徴とする請求項８に記載の筐体構造。
＜請求項１０＞
前記第２の部品が、前記第１の部品の前記切り欠きに収まった状態で、前記筐体に嵌め合わされると、前記第１の部品は、前記筐体から取り外しできないことを特徴とする請求項９に記載の筐体構造。
＜請求項１１＞
前記筐体に対し着脱可能で、前記筐体に装着された状態において、前記第２の開口部に取り付けられた前記第２の部品を含んで前記筐体を覆う蓋部品を備えることを特徴とする請求項８から１０のいずれか一項に記載の筐体構造。
＜請求項１２＞
前記固着部材は、所定の厚さの両面テープであることを特徴とする請求項３から１１のいずれか一項に記載の筐体構造。
＜請求項１３＞
前記筐体は、第１のブロックと第２のブロックを備え、
前記第２のブロックは、前記第１のブロックに回転可能に結合され、
前記枠体は、前記第１のブロック及び前記第２のブロックを部分的に覆い、且つ前記第１のブロックに回転可能に結合される筐体構造であって、
前記第１の開口部は、前記第２のブロックの前記枠体により覆われる面に設けられていることを特徴とする請求項１から１２のいずれか一項に記載の筐体構造。
＜請求項１４＞
前記第２のブロックの前記第１のブロック側の位置に前記第１の開口部が設けられていることを特徴とする請求項１３に記載の筐体構造。
＜請求項１５＞
前記第１のブロックは撮像部を備え、
前記第２のブロックは表示部を備えることを特徴とする請求項１３または１４に記載の筐体構造。
＜請求項１６＞
請求項１から１４のいずれか一項に記載の筐体構造を備えることを特徴とする電子機器。
＜請求項１７＞
請求項１５に記載の筐体構造を備えることを特徴とする撮像装置。
【符号の説明】
【００３５】
１  第１のブロック（筐体）
２  第２のブロック（筐体）
３  グリップフレーム（枠体）
４  撮影レンズ（撮像部）
５  表示部
６  スペーサー（第１の部品）
７  両面テープ（固着部材）
８  カバー部品（第２の部品）
９  電池蓋（蓋部品）
１１  第１ヒンジ軸
１２  第２ヒンジ軸（枠体との結合部）
２１  第１の開口部
２２  第２の開口部
３１  フレームブラケット
６１  切り欠き
８１・８２  爪
【図１】
2017092579.tif 000003
【図２】
2017092579.tif 000004
【図３】
2017092579.tif 000005
【図４】
2017092579.tif 000006
【図５】
2017092579.tif 000007
【図６】
2017092579.tif 000008
【図７】
2017092579.tif 000009
【図８】
2017092579.tif 000010
【図９】
2017092579.tif 000011